(57)【特許請求の範囲】
【請求項１】
便器本体の便鉢部の下流側に連通した便器排水路の下流端部を接続する上向きに開口した流入口を有する流入部と、
この流入部に連通しており、前記便器本体を設置する床面に引き出された排水管の上流端部を接続する下向きに開口した流出口を有する流出部と、
位置合わせ面と、
を備えた排水接続部材を前記床面に固定する際に利用する固定位置決め具であって、
第１指示部を有しており、この第１指示部に前記位置合わせ面を合わせることによって、前記排水管の上流端部に上向きに開口した排水口の中心を通る直線に対して水平方向に隔離した平行線上に前記便器本体の左右中心が位置するように前記便器本体を設置することができる前記流入部の前記床面への固定位置を特定することを特徴とする固定位置決め具。
【請求項２】
前記第１指示部は、基準線上に中心を有し、かつ、この第１指示部に前記位置合わせ面を合わせて前記流入部を床面への固定位置に載置した状態で前記流入口と同心円上に位置する円弧で示していることを特徴とする請求項１記載の固定位置決め具。
【請求項３】
便器本体の便鉢部の下流側に連通した便器排水路の下流端部を接続する上向きに開口した流入口を有する流入部と、
この流入部に連通しており、前記便器本体を設置する床面に引き出された排水管の上流端部を接続する下向きに開口した流出口を有する流出部と、
を備えた排水接続部材を前記床面に固定する際に利用する固定位置決め具であって、
第２指示部を有しており、前記排水接続部材を前記第２指示部より外側に食み出さないようにすることによって、前記排水管の上流端部に上向きに開口した排水口の中心を通る直線に対して水平方向に隔離した平行線上に前記便器本体の左右中心が位置するように前記便器本体を設置することができる前記排水接続部材の前記床面への固定位置を特定することを特徴とする固定位置決め具。
【請求項４】
前記便器本体の台座部の前端部の内側面の近傍に位置し、前記台座部の前端部を床面に固定する固定部材の前記床面の固定位置を示す第３指示部を有していることを特徴とする請求項１乃至３のいずれか１項記載の固定位置決め具。
【請求項５】
便器本体の便鉢部の下流側に連通した便器排水路の下流端部を接続する上向きに開口した流入口を有する流入部と、
この流入部に連通しており、前記便器本体を設置する床面に設けられた排水管の上流端部を接続する下向きに開口した流出口を有する流出部と、
を備えた排水接続部材であって、
前記流入部は、前記流入口と同心の円弧状であって、請求項２記載の排水接続部材の固定位置決め具の前記第１指示部に合わせることができる位置合わせ面を有していることを特徴とする排水接続部材。
【請求項６】
便器本体の便鉢部の下流側に連通した便器排水路の下流端部を接続する上向きに開口した流入口を有する流入部、及びこの流入部に連通しており、前記便器本体を設置する床面に引き出された排水管の上流端部を接続する下向きに開口した流出口を有する流出部を備えた排水接続部材と、請求項１記載の固定位置決め具とを前記便器本体を設置する床面に載置し、
前記排水管の上流端部に上向きに開口した排水口の中心を通る直線から前記固定位置決め具の基準線が水平方向に設定した間隔を離れるように前記固定位置決め具を移動し、前記第１指示部に前記位置合わせ面を合わせて前記流入部の前記床面への固定位置を特定することを特徴とする排水接続部材の位置決め方法。
【請求項７】
便器本体の便鉢部の下流側に連通した便器排水路の下流端部を接続する上向きに開口した流入口を有する流入部、及びこの流入部に連通しており、前記便器本体を設置する床面に引き出された排水管の上流端部を接続する下向きに開口した流出口を有する流出部を備えた排水接続部材と、請求項３記載の固定位置決め具とを前記便器本体を設置する床面に載置し、
前記排水管の上流端部に上向きに開口した排水口の中心を通る直線から前記固定位置決め具の基準線が水平方向に設定した間隔を離れるように前記固定位置決め具を移動し、前記第２指示部が示す前記排水接続部材の固定位置を特定することを特徴とする排水接続部材の位置決め方法。
【請求項８】
便器本体の便鉢部の下流側に連通した便器排水路の下流端部を接続する上向きに開口した流入口を有する流入部、及びこの流入部に連通しており、前記便器本体を設置する床面に引き出された排水管の上流端部を接続する下向きに開口した流出口を有する流出部を備えた排水接続部材と、請求項４記載の固定位置決め具とを前記便器本体を設置する床面に載置し、
前記排水管の上流端部に上向きに開口した排水口の中心を通る直線から前記固定位置決め具の基準線が水平方向に設定した間隔を離れるように前記固定位置決め具を移動し、前記第３指示部が示す前記固定部材の固定位置を特定することを特徴とする排水接続部材の位置決め方法。
【請求項９】
請求項６又は７記載の排水接続部材の位置決め方法によって、前記流入部又は前記排水接続部材を位置決めして前記床面に固定した後、前記流入口に前記便器排水路の下流端部を接続して前記便器本体を床面に固定することを特徴とする便器本体の施工方法。
【発明の詳細な説明】
【技術分野】
【０００１】
本発明は排水接続部材、排水接続部材の固定位置決め具、排水接続部材の位置決め方法、及び便器本体の施工方法に関する。
【背景技術】
【０００２】
特許文献１は従来の排水接続部材の固定位置決め具である型紙を開示している。この排水接続部材は、水洗式便器を設置した部屋の改装等のために水洗式便器を取り換える際、取り換え前の水洗式便器の便器排水路が連通していた排水管の床面に引き出されている位置に対して、新しく取り付ける水洗式便器の取り付け位置に便器本体を取り付けると便器本体の便鉢部の下流側に連通した便器排水路の下流端部が便器本体の左右中心線上の前後方向にずれてしまう場合に利用するものである。
【０００３】
つまり、この排水接続部材は、床面に引き出された排水管の上流端部に対して、便器排水路の下流端部が便器本体の左右中心線上で前後方向に離れて位置する場合に利用するものである。このため、この排水接続部材は、便器排水路の下流端部を接続する流入部と、排水管の上流端部を接続する流出部とが離れており、それらを連結する横方向に延びた管部を有している。
【０００４】
水洗式便器を設置した部屋の改装の際、排水管の上流端部が床面に引き出されている位置は、取り換え前の水洗式便器によって異なる。このため、施工現場ごとに流入部と流出部とを連結する管部の長さを調整しなければならない。
【０００５】
この型紙は、一対の型紙からなり、一方の型紙は排水接続部材の流入部を床面に固定する位置を示し、他方の型紙は一方の型紙に対してスライドして床面に引き出された排水管の上流端部に合わせることができる。また、他方の型紙は管部の切断位置を示す表示部を有している。
【０００６】
このため、型紙を排水接続部材を固定する床面に載置し、他方の型紙をスライドさせて排水管の上流端部に合わせる。そして、長めの管部を挿入した流入部を一方の型紙に合わせて仮置きして、他方の型紙に表示部に表示された切断位置に合わせて、管部を切断する。このように、この型紙を利用して、管部を適切な長さに容易に切断することができる。
【先行技術文献】
【特許文献】
【０００７】
【特許文献１】特許第４５６９４３１号公報
【発明の概要】
【発明が解決しようとする課題】
【０００８】
しかし、特許文献１の型紙では、床面に引き出された排水管の上流端部に上向きに開口する排水口の中心を通る直線上に便器本体の左右中心が位置するように便器本体を設置することを前提としている。このため、水洗式便器を設置した部屋の改装に際し、水洗式便器の側方に位置する壁面に収納キャビネット等を新設すると、水洗式便器と収納キャビネット等との間が狭くなり、水洗式便器等が使いづらいものになる。このため、排水口の中心を通る直線に対して、便器本体の左右中心が収納キャビネット等とは反対方向にずれた平行線上に位置するように便器本体を設置することが望まれる。この場合、この型紙では排水接続部材を適切な位置に固定することができない。
【０００９】
また、水洗式便器を設置した部屋の改装に限らず、床面に引き出された排水管の排水口の中心を通る直線に対して、水平方向に隔離した平行線上に便器本体の左右中心が位置するように便器本体を設置することが必要な場合がある。
【００１０】
本発明は、上記従来の実情に鑑みてなされたものであって、便器本体の設置位置の変更を容易に行うことができる排水接続部材、排水接続部材の固定位置決め具、排水接続部材の位置決め方法、及び便器本体の施工方法を提供することを解決すべき課題としている。
【課題を解決するための手段】
【００１１】
本発明の固定位置決め具は、便器本体の便鉢部の下流側に連通した便器排水路の下流端部を接続する上向きに開口した流入口を有する流入部と、
この流入部に連通しており、前記便器本体を設置する床面に引き出された排水管の上流端部を接続する下向きに開口した流出口を有する流出部と、
位置合わせ面と、
を備えた排水接続部材を前記床面に固定する際に利用する固定位置決め具であって、
第１指示部を有しており、この第１指示部に前記位置合わせ面を合わせることによって、前記排水管の上流端部に上向きに開口した排水口の中心を通る直線に対して水平方向に隔離した平行線上に前記便器本体の左右中心が位置するように前記便器本体を設置することができる前記流入部の前記床面への固定位置を特定することを特徴とする。
【００１２】
この固定位置決め具は、排水接続部材と共に便器本体を設置する床面に載置し、床面に引き出された排水管の上流端部に上向きに開口した排水口の中心を通る直線から固定位置決め具の基準線が設定した間隔を隔離するように、固定位置決め具を移動することによって、第１指示部が流入部の床面への固定位置を特定することができる。このようにして特定した固定位置に流入部を固定することによって、排水口の中心を通る直線に対して、水平方向に隔離した平行線上に便器本体の左右中心が位置するように便器本体を設置することができる。
【００１３】
このように、水洗式便器を設置した部屋の改装に際し、水洗式便器の側方に位置する壁面に収納キャビネット等を新設した場合等、この固定位置決め具を利用することによって、水洗式便器を収納キャビネット等とは反対方向にずらした適切な位置に便器本体を固定することを容易に行うことができる。
【００１４】
したがって、本発明の固定位置決め具は便器本体の設置位置の変更を容易に行うことができる。
【００１５】
前記第１指示部は、基準線上に中心を有し、かつ、この第１指示部に前記位置合わせ面を合わせて前記流入部を床面への固定位置に載置した状態で前記流入口と同心円上に位置する円弧で示し得る。
【００１６】
この場合、本発明の排水接続部材は、便器本体の便鉢部の下流側に連通した便器排水路の下流端部を接続する上向きに開口した流入口を有する流入部と、
この流入部に連通しており、前記便器本体を設置する床面に設けられた排水管の上流端部を接続する下向きに開口した流出口を有する流出部とを備えた排水接続部材であって、
前記流入部は、前記流入口と同心の円弧状であって、前記排水接続部材の固定位置決め具の前記第１指示部に合わせることができる位置合わせ面を有していることを特徴とする。
【００１７】
固定位置決め具の第１指示部と、排水接続部材の位置合わせ面とを合わせることによって、固定位置決め具の基準線上に排水接続部材の流入部の流入口の中心を容易に配置することができる。このため、固定位置決め具の基準線上に便器本体の左右中心が位置するように便器本体を設置することによって、排水管の排水口の中心を通る直線から隔離した平行線上に便器本体の左右中心を位置させることができる。
【００１８】
本発明の他の固定位置決め具は、便器本体の便鉢部の下流側に連通した便器排水路の下流端部を接続する上向きに開口した流入口を有する流入部と、
この流入部に連通しており、前記便器本体を設置する床面に引き出された排水管の上流端部を接続する下向きに開口した流出口を有する流出部と、
を備えた排水接続部材を前記床面に固定する際に利用する固定位置決め具であって、
第２指示部を有しており、前記排水接続部材を前記第２指示部より外側にはみ出さないようにすることによって、前記排水管の上流端部に上向きに開口した排水口の中心を通る直線に対して水平方向に隔離した平行線上に前記便器本体の左右中心が位置するように前記便器本体を設置することができる前記排水接続部材の前記床面への固定位置を特定することを特徴とする。
【００１９】
この固定位置決め具は、排水接続部材と共に便器本体を設置する床面に載置し、第２指示部が示す範囲内に排水接続部材を設置することができる。このように、この固定位置決め具を利用することによって、排水管の上流端部の排水口の中心を通る直線に対して、水平方向に隔離した平行線上に便器本体の左右中心が位置する状態で便器本体を設置することができる許容範囲を確認することができる。
【００２０】
したがって、本発明の他の固定位置決め具も便器本体の設置位置の変更を容易に行うことができる。
【００２１】
前記固定位置決め具は、前記便器本体の台座部の前端部の内側面の近傍に位置し、前記台座部の前端部を床面に固定する固定部材の前記床面の固定位置を示す第３指示部を有し得る。この場合、固定位置決め具と排水接続部材とを便器本体を設置する床面に載置し、排水口の中心を通る直線に対する平行線上に便器本体の左右中心が位置するように便器接続部材の流入部の床面への固定位置を特定するとともに、便器本体の台座部の前端部を固定する固定部材の固定位置を容易に特定することができる。
【００２２】
本発明の便器本体の施工方法は、前記排水接続部材の位置決め方法によって、前記流入部又は前記排水接続部材を位置決めして前記床面に固定した後、前記流入口に前記便器排水路の下流端部を接続して前記便器本体を床面に固定することを特徴とする。
【００２３】
この便器本体の施工方法は、上述したように、排水接続部材を床面に固定し、排水口の中心を通る直線に対して、水平方向に隔離した平行線上に便器本体の左右中心が位置するように便器本体を設置することができる。
【００２４】
したがって、本発明の便器本体の施工方法は便器本体の設置位置の変更を容易に行うことができる。
【図面の簡単な説明】
【００２５】
【図１】実施例１の便器本体、排水接続部材、及び型紙を示す分解斜視図である。
【図２】実施例１の型紙を示す平面図である。
【図３】実施例１の排水接続部材を固定する床面を示す平面図である。
【図４】実施例１の排水接続部材を仮置きした状態を示す平面図である。
【図５】実施例１の排水接続部材及び型紙を床面に載置した状態を示す平面図である。
【図６】実施例１の排水接続部材の流出部の固定位置を特定した状態を示す平面図である。
【図７】実施例１の便器本体を床面に固定した状態を示す断面図である。
【図８】実施例２の型紙を示す平面図である。
【発明を実施するための形態】
【００２６】
本発明の排水接続部材、排水接続部材の固定位置決め具及び位置決め方法を具体化した実施例１及び２を図面を参照しつつ説明する。
【００２７】
＜実施例１＞
実施例１の排水接続部材１０及び固定位置決め具（型紙）２０は、図１に示すように、水洗式便器１を床面Ｆに固定する際に利用するものである。水洗式便器１は便器本体２と便器本体２の上面後部に載置して固定する洗浄タンク３とを有している。便器本体２は、便鉢部４と、便鉢部４の下流側に連通した便器排水路５と、上部外周縁から下方に延びて、便鉢部４及び便器排水路５の大部分を隠蔽する台座部６とを有している。
【００２８】
便器排水路５は、便鉢部４の下部から斜め上方に延びた上昇流路５Ａと、上昇流路５Ａの下流端に連続して下方に延びる下降流路５Ｂとを有している。下降流路５Ｂは、下流端部が垂直方向に延びており、下流端に下向きに開口した便器排出口５Ｃを有している。
【００２９】
台座部６は、前端中央部、及び左右後端部の２か所に貫通孔６Ａ、６Ｂを有している。台座部６の前端中央部の貫通孔６Ａは木螺子８を挿通する。また、台座部６の左右後端部の２か所の貫通孔６Ｂは床面Ｆに螺子止めした木螺子９を挿通する。台座部６の前端中央部の貫通孔６Ａを挿通した木螺子８を床面Ｆに固定した固定部材７にねじ込み、かつ台座部６の左右後端部の２か所の貫通孔６Ｂを挿通して上部に露出した木螺子９の螺子部にワッシャー９Ａを挿通し、ナット９Ｂを締結することによって便器本体２を床面Ｆに固定することができる。台座部６の前端中央部の貫通孔６Ａと木螺子８の頭部は化粧キャップ８Ａで隠蔽することができる。また、台座部６の左右後端部の２か所の貫通孔６Ｂ、木螺子９の螺子部、ワッシャー９Ａ、及びナット９Ｂは化粧キャップ９Ｃで隠蔽することができる。
【００３０】
排水接続部材１０は、流入部１１、管部１２、及び流出部１３とを備えている。流入部１１は便器排水路５の下流端部（下降流路５Ｂの下流端部）を接続する上向きに開口した流入口１１Ａを有している。流入口１１Ａは、円環状の上面部と、上面部の外周縁から下方に延びる円筒状の側面部とから形成されたパッキン１４を外嵌している。パッキン１４の円環状の上面部の中央開口部内に便器排水路５の下流端部を挿入し、便器排水路５の下流端部と流入部１１とを水密状に接続することができる。
【００３１】
流入部１１は、図１及び図４に示すように、後端側（管部１２が延びている側面の反対側）の下部に左右に延びる固定片１５を有している。固定片１５は、後端面の中央部に流入口１１Ａと同心の円弧状に突出して形成された位置合わせ面１６が形成されている。つまり、流入部１１は、流入口１１Ａと同心の円弧状の位置合わせ面１６を有している。また、固定片１５は、左右両端部に流入口１１Ａの同心円周上に延びた長孔１５Ａを有している。この長孔１５Ａは、排水接続部材１０、及び便器本体２を床面Ｆに固定する木螺子９を挿通する。長孔１５Ａを挿通した木螺子９を床面にねじ込むことによって流入部１１を床面Ｆに固定することができる。
【００３２】
管部１２は流入部１１の側面から連続して横方向に延びている。この管部１２は施工現場において先端側を切断し、長さを調整することができる。
【００３３】
流出部１３は適切な長さに切断した管部１２の先端側（下流側）を接着剤によって接着して連結することができる。流出部１３は下向きに開口した流出口１３Ａを有している。また、流出部１３は下部外縁に外側に拡がるフランジ部１７を有している。このフランジ部１７は、左右の２か所に流出口１３Ａの同心円周上に延びて形成した長孔１７Ａを有している。
【００３４】
床面Ｆに引き出された排水管４０は上流端部に上向きに開口した排水口４１を有している。この排水口４１に床フランジ３０が水密状に連結している。排水接続部材１０の流出部１３のフランジ部１７の下面と床フランジ３０の上面との間にガスケット３２を挟持しつつ、床フランジ３０の左右２か所から上方に突出したボルト３１をフランジ部１７の長孔１７Ａに挿通する。長孔１７Ａを挿通して上方に突出したボルト３１にワッシャー３１Ａを挿通し、ナット３１Ｂを締結することによって、排水接続部材１０の流出部１３が床面Ｆに固定されるとともに、流出部１３の流出口１３Ａが排水口に水密状に連通することができる。
【００３５】
固定位置決め具は、図１及び図２に示すように、型紙２０として形成されている。この型紙２０は、外形が長方形状であり、外形に沿って長手方向に延びる長方形状の第１開口部２１と、第１開口部２１に連続して、型紙２０の長手方向の一端側である型紙２０の後端側（図２に示す下端側）に第１開口部２１の横幅より小さい幅で形成された第２開口部２２とを有している。第２開口部２２は、型紙２０の外形に沿って形成された第１開口部２１の左右開口縁２１Ａから内側に張り出した段部２１Ｂを介して連続しており、型紙２０の外形に沿って形成された左右開口縁２２Ａと、左右開口縁２２Ａの後端に連続して内側に傾斜しながら後方に延びる左右コーナー縁２２Ｂと、左右コーナー縁２２Ｂの後端に連続して前方に傾斜しながら内側に延びる左右後端縁２２Ｃと、左右後端縁２２Ｃの内側を連結し、外側に膨らむ円弧状の第１指示部２３とに囲まれて形成されている。この型紙２０は左右中心線を基準線Ｋとしている。
【００３６】
円弧状の第１指示部２３は、円弧の中心Ｃ２を型紙２０の基準線Ｋ上に形成し、第１指示部２３と便器排水路５の流入部１１の位置合わせ面１６とを合わせた際、流入部１１の流入口１１Ａの中心Ｃ１が位置する点を円弧の中心Ｃ２としている。つまり、第１指示部２３は、基準線Ｋ上に中心Ｃ２を有し、かつこの第１指示部２３に合わせて流入部１１を床面Ｆへの固定位置に載置した状態で流入口１１Ａと同心円状に位置する円弧で示している。型紙２０は第１指示部２３の中心を示す矢印２３Ａが記載されている。
【００３７】
また、型紙２０は、第１開口部２１より前側であって、型紙２０の基準線Ｋを中心とした対称位置に貫通した一対の指示孔２４を形成している。この指示孔２４は、固定部材７を床面Ｆに固定するための第３指示部であり、固定部材７を床面Ｆに固定する木螺子７Ａを床面Ｆにねじ込む位置を示している。
【００３８】
次に、この型紙２０を用いて排水接続部材１０を床面Ｆに固定する施工手順を説明する。
【００３９】
水洗式便器を設置した部屋の改装等のために水洗式便器を取り外すと、図３に示すように、床面Ｆに引き出された排水管４０の上流端部の排水口４１が上向きに開口している。水洗式便器の側方（図３において、左側）に位置する壁面（図示せず）に収納キャビネット等を新設する場合には、排水口４１の中心を通る直線Ｘに対して、水平方向（図３において、右方向）に設定間隔を隔離した平行線Ｙ上に便器本体２の左右中心が位置するように便器本体２を設置することになる。
【００４０】
床面Ｆに引き出された排水管４０の排水口４１に床フランジ３０を水密上に連結する。そして、図４に示すように、適切な長さに切断した管部１２の先端側に流出部１３を接着した排水接続部材１０を用意し、その流出部１３を床フランジ３０に合わせて仮置きする。次に、図５に示すように、排水接続部材１０を型紙２０の第１開口部２１及び第２開口部２２内に配置するようにして型紙２０を床面Ｆに載置する。この状態では、排水口４１の中心を通る直線Ｘ上に型紙２０の左右中心である基準線Ｋが位置している。
【００４１】
次に、図６に示すように、排水口４１の中心を通る直線Ｘから水平方向に設定間隔を隔離した平行線Ｙ上に型紙２０の基準線Ｋが位置するように型紙２０を右方向に移動する。この際、排水接続部材１０の流入部１１の位置合わせ面１６が型紙２０の第１指示部２３に合うように、流入部１１を流出部１３を中心とした円周上の右方向に移動する。これによって、流出部１３の固定位置を特定することができる。また、型紙２０の第１開口部２１の前側に形成した第３指示部である一対の指示孔２４を利用して、床面Ｆに固定部材７を固定する木螺子７Ａのねじ込み位置を罫書きする。
【００４２】
このように、位置合わせ面１６と第１指示部２３とが円弧状であるため、位置合わせ面１６を第１指示部２３に合わせ易く、排水口４１の中心を通る直線Ｘに対して水平方向に設定間隔を隔離した平行線Ｙ上に流入部１１の流入口１１Ａの中心Ｃ１を容易に配置することができる。また、固定部材７の固定位置を容易に特定することができる。
【００４３】
次に、図７に示すように、排水接続部材１０の流入部１１の固定片１５の長孔１５Ａに木螺子９を挿入して床面Ｆにねじ込む。このようにして特定した位置に排水接続部材１０の流入部１１を固定し、流出部１３のフランジ部１７の長孔１７Ａを挿通するボルト３１にナット３１Ｂを締結して流出部１３を固定することによって排水接続部材１０を床面Ｆに固定する。そして、型紙２０を床面Ｆから取り外し、第３指示部である指示孔２４によって床面Ｆに罫書きされた位置に固定部材７を貫通する挿通孔を合わせて木螺子７Ａをねじ込むことによって固定部材７を床面Ｆに固定する。
【００４４】
次に、排水接続部材１０の流入部１１の流入口１１Ａに便器本体２の便器排水路５の下流端部を挿通しつつ、台座部６の左右後端部の２か所の貫通孔６Ｂに木螺子９を挿通して便器本体２を床面Ｆに載置する。そして、台座部６の左右後端部の２か所の貫通孔６Ｂから上方に突出した螺子部にナット９Ｂを締結し、台座部６の前端中央部の貫通孔６Ａから木螺子８を挿通して固定部材７にねじ込むことによって、便器本体２を床面Ｆに固定する。このようにして、排水口４１の中心を通る直線Ｘに対して、水平方向に隔離した平行線Ｙ上に便器本体２の左右中心が位置するように便器本体２を設置することができる。
【００４５】
このように、この型紙２０を利用することによって、水洗式便器を設置した部屋の改装に際し、水洗式便器の側方に位置する壁面に収納キャビネット等を新設した場合、水洗式便器を収納キャビネット等とは反対方向にずらして適切な位置に便器本体２を固定することを容易に行うことができる。
【００４６】
したがって、実施例１の型紙２０は便器本体２の設置位置の変更を容易に行うことができる。
【００４７】
＜実施例２＞
実施例２の固定位置決め具である型紙５０は、図８に示すように、型紙５０の内側に形成される開口部５１の形状が第１実施例の型紙２０と相違する。他の点は実施例１と同様であり、同一の構成は同一の符号を付し詳細な説明を省略する。
【００４８】
実施例２の型紙５０は、開口部５１の左右開口縁５１Ａが便器本体２の台座部６の下端縁の内側の形状にほぼ等しく、左右外側に膨らんだ湾曲形状である。この左右開口縁５１Ａが排水管４０の上流端部に上向きに開口した排水口４１の中心を通る直線Ｘに対して、水平方向に隔離した平行線Ｙ上に便器本体２の左右中心が位置するように便器本体を設置することができる範囲を示す第２指示部を形成している。
【００４９】
つまり、排水接続部材１０の流出部１３を床フランジ３０に合わせて仮置きし、その排水接続部材１０をこの開口部５１内に配置するように型紙２０を床面Ｆに載置する。この状態で、型紙５０を排水管４０の排水口４１の中心を通る直線に対して平行に移動させ、排水接続部材１０の流入部１１の床面Ｆへの固定位置を特定することができる。この際、排水接続部材１０が型紙５０の第２指示部である左右開口縁５１Ａより外側に食み出さない範囲であれば、台座部６内に排水接続部材１０を収納することができる。つまり、この型紙５０は、排水口４１の中心を通る直線Ｘに対して、水平方向に隔離した平行線Ｙ上に便器本体２の左右中心が位置する状態で便器本体２を設置することができる許容範囲を確認することができる。
【００５０】
したがって、実施例２の型紙５０も便器本体２の設置位置の変更を容易に行うことができる。
【００５１】
本発明は上記記述及び図面によって説明した実施例に限定されるものではなく、例えば次のような実施例も本発明の技術的範囲に含まれる。
（１）実施例１では、排水接続部材の流入部の後端側に形成した固定片に位置合わせ面を有していたが、他の部分に位置合わせ面を形成してもよい。この場合、型紙の対応する位置に第１指示部を形成するとよい。
（２）排水接続部材が第１開口部及び第２開口部の前後方向の長さとほぼ同じであったが、管部が短いもの、さらには流入部と流出部とが直接的に接続されたものであってもこの型紙を利用することができる。つまり、水洗式便器を設置した部屋を改装する際以外でも、この型紙を利用して、床面に引き出された排水管の排水口の中心を通る直線に対して、水平方向に隔離した平行線上に便器本体の左右中心が位置するように便器本体を設置することができる。
（３）実施例２では、開口部の左右開口縁が第２指示部を形成していたが、第２指示部は型紙上面に線描きしてもよい。
【符号の説明】
【００５２】
２…便器本体
４…便鉢部
５…便器排水路
１０…排水接続部材
１１…流入部
１１Ａ…流入口
１２…管部
１３…流出部
１３Ａ…流出口
１６…位置合わせ面
２０、５０…型紙（固定位置決め具）
２３…第１指示部
２４…指示孔（第３指示部）
４０…排水管
４１…排水口
５１Ａ…左右開口縁（第２指示部）
Ｆ…床面
Ｋ…基準線
Ｘ…（排水口の中心を通る）直線
Ｙ…平行線
【図１】
0005917068.tif 000002
【図２】
0005917068.tif 000003
【図３】
0005917068.tif 000004
【図４】
0005917068.tif 000005
【図５】
0005917068.tif 000006
【図６】
0005917068.tif 000007
【図７】
0005917068.tif 000008
【図８】
0005917068.tif 000009